(57)【特許請求の範囲】
【請求項１】
編集結果として得られた編集映像音声を、予め指定された出力レートで転送する編集装置において、
上記編集映像音声のうち上記出力レートでの転送不可部分を抽出する抽出手段と、
上記抽出手段によって抽出された上記転送不可部分を記憶する記憶手段と、
上記記憶手段から読み出された上記転送不可部分に対して所定の編集加工を施す編集加工手段と、
上記編集加工手段によって編集加工された上記転送不可部分を上記出力レートで転送させる高速転送手段と
を具えることを特徴とする編集装置。
【請求項２】
上記高速転送手段は、
上記出力レートで転送するための所要時間が、実時間に応じた出力レートで転送するための所要時間よりも長い場合には、上記実時間に応じた出力レートで転送することができる旨を表示する
ことを特徴とする請求項１に記載の編集装置。
【請求項３】
編集結果として得られた編集映像音声を、予め指定された出力レートで転送する編集方法において、
上記編集映像音声のうち上記出力レートでの転送不可部分を抽出する第１のステップと、
上記抽出された上記転送不可部分に対して所定の編集加工を施す第２のステップと、
上記編集加工された上記転送不可部分を上記出力レートで転送させる第３のステップと
を具えることを特徴とする編集方法。
【請求項４】
上記第３のステップでは、
上記出力レートで転送するための所要時間が、実時間に応じた出力レートで転送するための所要時間よりも長い場合には、上記実時間に応じた出力レートで転送することができる旨を表示する
ことを特徴とする請求項３に記載の編集方法。
【発明の詳細な説明】
【０００１】
【発明の属する技術分野】
本発明は編集装置及び編集方法に関し、例えば磁気テープに記録された映像音声信号を用いた編集（リニア編集）及びハードディスクに記録された映像音声信号を用いた編集（ノンリニア編集）を組み合わせた編集（ハイブリッド編集）を行い得るようになされた編集システムに適用して好適なものである。
【０００２】
【従来の技術】
従来、この種の編集装置として、ビデオテープに記録された映像音声の所望部分をクリップとして登録し、当該登録された各クリップを所望の編集内容を規定した編集リストに従って編集処理を実行するようにして、得られた編集映像及び編集音声をビデオテープにダウンロードするようになされている。
【０００３】
【発明が解決しようとする課題】
ところで、近年のビテオテープレコーダには、ＳＤＴＩ（Serial Data Transport Interface ）、ＳＤＩ（Serial Data Interface ）等のディジタル方式に対応した映像音声信号フォーマットを有するものがあり、各信号フォーマットに応じた映像音声信号の入出力を行い得るようになされている。
【０００４】
かかるビデオテープレコーダの入力信号フォーマットがＳＤＴＩのディジタル方式に対応した映像信号フォーマット（以下、これをＳＤＴＩフォーマットと呼ぶ）である場合、編集装置は、編集結果でなる編集映像及び編集音声を、実時間（リアルタイム）対して４倍のデータ転送速度（以下、これをハイスピードと呼ぶ）で当該ビデオテープレコーダ内のビデオテープにダウンロードし得るようになされている。
【０００５】
ところが、このような編集装置において、上述のような映像特殊効果処理を実行するためのスイッチャは、そのハードウェア構成が実時間処理に適合するように予め設定されているため、当該スイッチャによって映像特殊効果処理が施された編集映像部分（以下、これをエフェクト部分と呼ぶ）を実時間よりも高速でダウンロードさせることができなかった。
【０００６】
このことはスイッチャによる映像特殊効果処理以外にも、ミキサによる音声素材の合成処理においても、当該ミキサのハードウェア構成が実時間処理に適合するように設定されているため、ミキサによって音声合成処理が施される編集音声部分（以下、これをミキシング部分と呼ぶ）をダウンロードさせる場合にも上述と同様に実時間よりも高速ではできなかった。
【０００７】
一般的に編集装置では、編集結果でなる編集映像及び編集音声に上述のようなエフェクト部分やミキシング部分を含む場合、一旦全ての編集映像及び編集音声を実時間でハードディスク装置に記録した後、上述のようなハイスピードでビデオテープにダウンロードさせるようにしていた。
【０００８】
この結果、特に同じ編集結果を複数回ダウンロードする場合には、オペレータは当該編集結果を得るために同様の編集作業を何度も繰り返さなければならず、ダウンロードにかかる時間がその分だけ長くなるという問題があった。
【０００９】
本発明は以上の点を考慮してなされたもので、編集時間を格段と短縮し得る編集装置及び編集方法を提案しようとするものである。
【００１０】
【課題を解決するための手段】
かかる課題を解決するため本発明においては、編集結果として得られた編集映像音声を、予め指定された出力レートで転送する編集装置において、編集映像音声のうち出力レートでの転送不可部分を抽出する抽出手段と、抽出手段によって抽出された転送不可部分を記憶する記憶手段と、記憶手段から読み出された転送不可部分に対して所定の編集加工を施す編集加工手段と、編集加工手段によって編集加工された転送不可部分を出力レートで転送させる高速転送手段とを設け苦ようにした。
【００１１】
この結果この編集装置では、編集映像音声のうち予め指定された出力レートでの転送不可部分を有する場合でも、当該転送不可部分のみ抽出手段を用いて抽出した後に記憶手段に記憶しておき、実際の転送前に出力レートに対応し得るように編集加工手段を用いて編集加工しておくようにすれば当該出力レートで転送することができる。
【００１２】
また本発明においては、編集結果として得られた編集映像音声を、予め指定された出力レートで転送する編集方法において、編集映像音声のうち出力レートでの転送不可部分を抽出する第１のステップと、抽出された転送不可部分に対して所定の編集加工を施す第２のステップと、編集加工された転送不可部分を出力レートで転送させる第３のステップとを設けるようにした。
【００１３】
この結果この編集装置では、編集映像音声のうち予め指定された出力レートでの転送不可部分を有する場合でも、当該転送不可部分のみ抽出してとき、実際の転送前に出力レートに対応し得るように編集加工しておくようにすれば当該出力レートで転送することができる。
【００１４】
【発明の実施の形態】
以下図面について、本発明の一実施の形態を詳述する。
【００１５】
図１において、１は全体として本実施の形態による編集システムを示し、編集装置２は、ビデオテープに記録された映像音声の所望部分をクリップとして登録し得る一方、必要に応じて所望するクリップの映像信号及び音声信号をハードディスク装置３に取り込み得るようになされている。
【００１６】
またこの編集装置２では、登録された各クリップを所望状態につなぎ合わせて所望の編集映像音声を得るための編集内容に規定した編集リストを作成でき、さらにこの作成した編集リストに従って実際に編集処理を実行し、得られた編集映像及び編集音声をビテオテープに記録することができるようになされている。
【００１７】
すなわちこの編集装置２は、コンピュータ４、システム制御部５、映像入力部６、映像出力部７、ディジタル映像音声入出力部８、映像特殊効果処理部９、音声入出力／ミキサ部１０及びディスク制御部１１がコントロールバス１２を介して相互に接続されることにより構成されている。
【００１８】
この場合コンピュータ４は、初期時、ディスプレイ１３に所定の操作画面（以下、これをメイン画面と呼ぶ）を表示させる。またコンピュータ４は、この状態においてマウス１４が操作されることにより、クリップ登録モードが選択され、当該編集装置２に接続された複数台のビデオテープレコーダ１５Ａ〜１５Ｄの中から１台のビデオテープレコーダ１５Ａ〜１５Ｄの再生動作命令が入力されると、これに応じた制御コマンドＣ１をシステム制御部５に送出する。
【００１９】
システム制御部５は、供給される制御コマンドに基づいて、対応するビデオテープレコーダ１５Ａ〜１５Ｄに制御信号Ｓ１を送出することにより、ビデオテープに記録された映像信号及び音声信号の再生動作を実行させる。
【００２０】
この結果このビデオテープレコーダ１５Ａ〜１５Ｄからは、アナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部６又は音声入出力／ミキサ部１０に与えられ、ディジタル映像信号Ｓ４及びディジタル音声信号Ｓ５がディジタル映像音声入出力部８に与えられる。
【００２１】
またこのときシステム制御部５は、コントロールバス１２を介して映像入力部６及び音声入出力／ミキサ部１０と、ディジタル映像音声入出力部８とのうちのいずれか一方を制御することにより、ビデオテープレコーダ１５Ａ〜１５Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００２２】
かくして映像入力部６を介してアナログ映像信号Ｓ２が取り込まれた場合には、これが映像入力部６においてディジタル変換された後ディジタル映像信号Ｓ６として映像特殊効果処理部９に与えられ、ディジタル映像音声入出力部８を介してディジタル映像信号Ｓ４が取り込まれた場合には、これがそのまま映像特殊効果処理部９に与えられる。
【００２３】
映像特殊効果処理部９は、システム制御部５の制御のもとに、映像入力部６又はディジタル映像音声入出力部８から供給されるディジタル映像信号Ｓ６、Ｓ４をコンピュータ４に送出する。かくしてこのディスプレイ１３には、コンピュータ４の制御のもとにディジタル映像信号Ｓ６、Ｓ４に基づく映像がメイン画面上の所定位置に表示される。
【００２４】
またこのときアナログ音声信号Ｓ３が取り込まれた場合には、これがそのまま音声入出力／ミキサ部１０から図示しないスピーカに送出され、またディジタル音声信号Ｓ５が取り込まれた場合には、これが音声入出力／ミキサ部１０においてアナログ変換された後、スピーカに送出される。
【００２５】
これによりこの編集装置２では、ディスプレイ１３に表示された映像及びスピーカから出力される音声に基づいて、オペレータがマウス１４及びキーボード１６を用いて映像及び音声の所望部分を指定することができ、さらにこれをクリップとしてそのイン点及びアウト点のタイムコードや素材長（デュレーション）等の関連データをコンピュータ４内に登録することができるようになされている。
【００２６】
またコンピュータ４は、このとき予め取込みモードが選択されている場合には、これに応じた制御コマンドＣ１をシステム制御部５に送出する。
【００２７】
システム制御部５は、供給される制御コマンドＣ１に基づいて、対応するビデオテープレコーダ１５Ａ〜１５Ｄに制御信号Ｓ１を送出することにより、指定されたクリップの映像音声を当該ビデオテープレコーダ１５Ａ〜１５Ｄに再生させる一方、映像入力部６及び音声入出力／ミキサ部１０と、ディジタル映像音声入出力部８とのいずれか一方をコントロールバス１２を介して制御することにより、ビデオテープレコーダ１５Ａ〜１５Ｄから出力されるアナログ映像信号Ｓ２及びアナログ音声信号Ｓ３と、ディジタル映像信号Ｓ４及びディジタル音声信号Ｓ５とのうちのいずれか一方を取り込ませる。
【００２８】
この結果映像入力部６を介してアナログ映像信号Ｓ２が取り込まれた場合には、これが映像入力部６においてディジタル変換された後ディジタル映像信号Ｓ６として映像特殊効果処理部９を介してディジタル映像信号Ｓ４が取り込まれた場合には、これがそのままディスク制御部１１に送出される。
【００２９】
またこのとき音声入出力／ミキサ部１０を介してアナログ音声信号Ｓ３が取り込まれた場合には、これが音声入出力／ミキサ部１０においてディジタル変換された後ディジタル音声信号Ｓ７としてディスク制御部１１に送出され、ディジタル映像音声入出力部８を介してディジタル音声信号Ｓ５が取り込まれた場合には、これが直接ディスク制御部１１に送出される。
【００３０】
そしてディスク制御部１１は、このときシステム制御部５からコントロールバス１２を介して与えられるコマンドに基づいて、映像特殊効果処理部９又はディジタル映像音声入出力部８から与えられるディジタル映像信号Ｓ６、Ｓ４と、音声入出力／ミキサ部１０又はディジタル映像音声入出力部８から与えられるディジタル音声信号Ｓ７、Ｓ５とを順次取り込み、これらをハードディスク装置３に与えてハードディスクの指定されたアドレス位置に記録させる。
【００３１】
このようにしてこの編集装置２においては、指定されたクリップの映像音声をビデオテープから再生してハードディスク装置３に取り込むことができるようになされている。
【００３２】
一方コンピュータ４は、上述のようにしてクリップが登録されると、ディスプレイ１３に表示されているメイン画面内に、登録されたクリップのリストを表示させる。
【００３３】
そしてオペレータは、このメイン画面を用いてどのクリップとどのクリップとをどのように繋ぎ合わせるかといった編集内容を規定した編集データを編集リストとして作成することができる。またオペレータは、編集リストの再生後又は作成途中において、その編集リストに基づく編集映像及び編集音声を確認することができる。
【００３４】
実際上、コンピュータ４は、編集リストの作成後又は作成途中において、その編集リストに基づく編集映像音声のプレビューモードが選択されると、これに応じた制御コマンドをシステム制御部に送出する。
【００３５】
システム制御部は、供給される制御コマンドＣ１に基づいて、必要に応じて対応するビデオテープレコーダ１５Ａ〜１５Ｄに制御信号Ｓ１を送出することにより、当該ビデオテープレコーダ１５Ａ〜１５Ｄに編集処理に利用するクリップの映像音声を再生させる一方、必要に応じてコントロールバス１２を介してディスク制御部１１を制御することにより、編集処理に利用するクリップの映像音声をハードディスク装置３から再生させる。
【００３６】
この結果このビデオテープレコーダ１５Ａ〜１５Ｄからは指定されたクリップのアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入出力部６又は音声入出力／ミキサ部１０に与えられ、ディジタル映像信号Ｓ４及びディジタル音声信号Ｓ５がディジタル映像音声入出力部８に与えられる。
【００３７】
このときシステム制御部５は、コントロールバス１２を介して映像入力部６及び音声入出力／ミキサ部１０と、ディジタル映像音声入出力部８とのうちのいずれか一方を制御することにより、ビデオテープレコーダ１５Ａ〜１５Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００３８】
かくして映像入力部６を介してアナログ映像信号Ｓ２が取り込まれた場合には、これが映像入力部６においてディジタル変換された後ディジタル映像信号Ｓ６として映像特殊効果処理部９に与えられ、ディジタル映像音声入出力部８を介してディジタル映像信号Ｓ４が取り込まれた場合には、これがそのまま映像特殊効果処理部９に与えられる。
【００３９】
映像特殊効果処理部９においては、システム制御部５の制御のもとに、供給される各クリップのディジタル映像信号Ｓ６、Ｓ４を必要に応じて指定された状態に特殊効果加工処理する。また映像特殊効果処理部９は、このときコンピュータ４から必要に応じて与えられるタイトル文字や各種グラフィック等の画像データを各クリップのディジタル映像信号Ｓ６、Ｓ４間に挿入し、又はディジタル映像信号Ｓ７、Ｓ５に重畳し、かくして得られたディジタル編集映像信号Ｓ８を映像出力部７に送出する。
【００４０】
映像出力部７は、システム制御部の制御のもとに、供給されるディジタル編集映像信号をアナログ変換し、得られた編集映像信号をモニタに送出する。
【００４１】
一方このときビデオテープレコーダ１５Ａ〜１５Ｄから出力されたアナログ音声信号Ｓ３及びディジタル音声信号Ｓ５のうち、音声入出力／ミキサ部１０を介してアナログ音声信号Ｓ３が取り込まれた場合には、これが音声入出力／ミキサ部１０において必要に応じてミキシング等の編集処理が施された後編集音声信号としてスピーカに送出され、ディジタル映像音声入出力部８を介してディジタル音声信号Ｓ５が取り込まれた場合には、これが音声入出力／ミキサ部１０においてアナログ変換され、ミキシング等の編集処理が施された後、編集音声信号としてスピーカに送出される。
【００４２】
この結果この編集装置２においては、モニタ１７に編集映像信号に基づく編集映像が表示されると共にスピーカから編集音声信号に基づく編集音声が出力され、かくしてオペレータが編集リストに基づく編集映像及び編集音声を確認することができる。
【００４３】
さらにコンピュータ４は、編集リストが作成された後、マウス１４又はキーボード１６が操作されてその実行命令が入力されると、これに応じた制御コマンドＣ１をシステム制御部５に送出する。
【００４４】
システム制御部５は、供給される制御コマンドＣ１に基づいて、必要に応じて対応するビデオテープレコーダ１５Ａ〜１５Ｄに制御信号Ｓ１を送出することにより当該ビデオテープレコーダ１５Ａ〜１５Ｄに編集処理を利用するクリップの映像音声を再生させる一方、必要に応じてコントロールバス１２を介してディスク制御部１１を制御することにより、ハードディスク装置３から編集処理に利用するクリップの映像音声を再生させる。
【００４５】
この結果上述のプレビューモード時と同様にして、映像特殊効果処理部９には、ビデオテープレコーダ１５Ａ〜１５Ｄから映像入力部６若しくはディジタル映像音声入出力部８を経由して必要なクリップのディジタル映像信号Ｓ６、Ｓ４が与えられ、又はハードディスク装置３からディスク制御部１１を経由して必要なクリップのディジタル映像信号Ｓ７、Ｓ５が与えられる。
【００４６】
またこのとき音声入出力／ミキサ部１０には、ビデオテープレコーダ１５Ａ〜１５Ｄから直接若しくはディジタル映像音声入出力部８を経由して必要なクリップのアナログ音声信号Ｓ３若しくはディジタル音声信号Ｓ５が与えられ、又はハードディスク装置３からディスク制御部１１を経由して必要なクリップのディジタル音声信号Ｓ７、Ｓ５が与えられる。
【００４７】
そして映像特殊効果処理部９は、システム制御部１１の制御のもとに、上述のプレビューモード時と同様にして、供給される各クリップのディジタル映像信号Ｓ６、Ｓ４を必要に応じて特殊効果加工処理し、かくして得られた編集映像の映像信号でなるディジタル編集映像信号Ｓ８を映像出力部７に送出する。
【００４８】
映像出力部７は、システム制御部５の制御のもとに、供給されるディジタル編集映像信号Ｓ８をアナログ変換し、得られた編集映像信号Ｓ９を対応するビデオテープレコーダ１５Ａ〜１５Ｄに送出する。
【００４９】
またこのとき音声入出力／ミキサ部１０は、システム制御部５の制御のもとに、上述のプレビューモード時と同様にして、供給される各クリップのアナログ音声信号Ｓ２又はディジタル音声信号Ｓ７、Ｓ５に対して必要に応じてミキシング等の編集処理を施し、かくして得られた編集音声信号Ｓ１０を対応するビデオテープレコーダ１５Ａ〜１５Ｄに送出する。
【００５０】
ビデオテープレコーダ１５Ａ〜１５Ｄは、システム制御部５から与えられる制御信号Ｓ１に基づいて、これら映像出力部７から供給される編集映像信号Ｓ９と、音声入出力／ミキサ部１０から供給される編集音声信号Ｓ１０とをビデオテープの指定された位置に記録する。
【００５１】
このようにしてこの編集装置２では、作成された編集リストに従って指定されたクリップの映像音声を指定された状態に編集加工してビデオテープに記録することができるようになされている。
【００５２】
（２）コンピュータの構成
ここでコンピュータ４は、図２に示すように、ＣＰＵ（Central Processing Unit ）２０、ＲＯＭ（Read Only Memory）２１、ＲＡＭ（Random Access Memory）２２、表示処理部２３、タイトル／グラフィック生成部２４、インタフェース回路２５、２６及びＳＣＳＩ（Small Computer System Interface ）インタフェース回路２８がＣＰＵバス２７を介して接続されることにより構成されており、各インタフェース回路２５、２６をそれぞれ介してマウス１４及びキーボード１６と接続され、ＳＣＳＩインタフェース回路２８を介してハードディスク装置３と接続されている。
【００５３】
この場合ＣＰＵ２０は、ＲＯＭ２１に格納されたプログラムに基づいて、必要に応じてＲＯＭ２１内の画像データを読み出し、これを表示処理部２３を介してディスプレイ１３に与えることにより、後述のようなメイン画面や各種ダイアログ、マウス操作に応動してメイン画面内を移動するカーソル及びキーボード１６を介して入力された数字や文字などをディスプレイ１３に表示させ、かつ映像特殊効果処理部９からタイトル／グラフィック生成部２４を介して表示処理部２３に与えられるディジタル映像信号Ｓ６、Ｓ４に基づく動画像や静止画像をメイン画面内の所定位置に表示させる。
【００５４】
またＣＰＵ２０は、例えばマウス１４やキーボード１６が操作されることにより所定処理の実行命令がインタフェース回路２５、２６を介して与えられると、ＲＯＭ２１に格納されたプログラムに基づいて、必要に応じてシステム制御部５に制御コマンドＣ１を送出することにより、当該システム制御部５を介して対応するビデオテープレコーダ１５Ａ〜１５Ｄ、映像入力部６、映像出力部７、ディジタル映像音声入出力部８、映像特殊効果処理部９、音声入出力／ミキサ部１０及び又はディスク制御部１１に所定動作を実行させ、かくして編集システム１全体として上述したような各種処理を実行させる。
【００５５】
さらにＣＰＵ２０は、ＲＯＭ２１に格納されたプログラムに基づいて、必要時にはタイトル／グラフィック生成部２４を制御してタイトル文字やグラフィックの画像データを生成させてこれを映像特殊効果処理部９に送出させ、かくしてこれらタイトル文字やグラフィックを編集映像に反映させるようになされている。
【００５６】
（３）メイン画面における操作手順
ここで実際上ＣＰＵ２０は、電源が投入された立ち上がり時、ＲＯＭ２１に格納されているプログラムに基づいて、まず図３に示すようなメイン画面３０をディスプレイ１３に表示させる。
【００５７】
このメイン画面３０には、オペレータが所望する処理内容を選択するためのメニュー欄及び複数のボタン３１Ａ〜３１Ｑと、登録された各クリップのリスト等を表示するためのクリップ情報表示部３２と、編集リスト作成時における各種処理を指定するための複数のボタン３３Ａ〜３３Ｔと、編集リストを作成するための編集リスト作成部３５とが設けられている。
【００５８】
そしてこのメイン画面３０では、画面上段のビデオクリップエディットボタン３１Ｋをクリックすることによって、図４のようなビデオクリップエディットダイアログ４０、ライブ映像表示ダイアログ４１及び音声レベル表示ダイアログ４２をメイン画面３０上に重ねて表示させることができる。
【００５９】
この場合ビデオクリップエディットダイアログ４０では、左側上段に各ビデオテープレコーダ１５Ａ〜１５Ｄにそれぞれ対応させてソース選択ボタン５０Ａ〜５０Ｄが複数表示されており、マウス操作によりこれらソース選択ボタン５０Ａ〜５０Ｄのうちのいずれか１つをクリックすることにより所望の１台のビデオテープレコーダ１５Ａ〜１５Ｄを選択することができる。
【００６０】
そしてオペレータは、いずれかのソース選択ボタン５０Ａ〜５０Ｄを選択した後、当該ビデオクリップエディットダイアログ４０内に表示されたいずれかのビデオ操作用ボタン５１をクリックすることによって、対応するビデオテープレコーダ１５Ａ〜１５Ｄに選択したビデオ操作用ボタン５１に応じた動作を実行させることができる。なおビデオクリップエディットダイアログ４０内のスライダ５２をドラッグ操作することによっても、同様にして対応するビデオテープレコーダ１５Ａ〜１５Ｄに再生動作を実行させることができる。
【００６１】
そしてこのときビデオテープレコーダ１５Ａ〜１５Ｄに再生動作や変速再生動作を実行させた場合、当該ビデオテープレコーダ１５Ａ〜１５Ｄによりビデオテープから再生された映像がこのライブ映像表示ダイアログ４１内のライブ映像表示部５３内に表示され、各音声チャンネルの音声レベルが音声レベル表示ダイアログ４２内にメータ表示される。
【００６２】
かくしてオペレータは、このライブ映像表示部５３内に表示された映像を目視確認しながらイン点指定用ボタン５４又はアウト点指定用ボタン５５をクリックすることによってクリップとして登録しようとする映像部分のイン点及びアウト点を指定することができる。そしてこのとき指定されたイン点及びアウト点の画像がそれぞれビデオクリップエディットダイアログ４０のイン点画像表示部５６又はアウト点画像表示部５７内に表示される。
【００６３】
またこのときイン点又はアウト点として指定された各画像のビデオテープにおけるタイムコードがそれぞれビデオクリップエディットダイアログ４０のイン点タイムコード表示部５８又はアウト点タイムコード表示部５９にそれぞれ表示され、指定されたクリップの素材長（デュレーション）がデュレーション表示部６０に表示される。
【００６４】
なおビデオクリップエディットダイアログ４０では、コマ送りボタン６１Ａ、６１Ｂをクリックすることによって、ライブ映像表示ダイアログ４１内に表示された映像を順方向又は逆方向にコマ送り表示させることができ、またライブ映像移動ボタン６２Ａ、６２Ｂをクリックすることによってライブ映像表示ダイアログ４１内の表示画像をイン点又はアウト点まで移動させることができる。
【００６５】
そしてオペレータは、上述のようにしてクリップのイン点及びアウト点を指定した後登録ボタン６３をクリックすることによって、その映像のイン点からアウト点までの部分をクリップとして登録することができる。
【００６６】
このときディスプレイ１３に表示されているそのクリップのイン点及びアウト点のタイムコードや、素材長及び保存位置（ビデオテープ又はハードディスク装置３内）等の関連データがデータベースとしてコンピュータ４（図２）内のＲＡＭ２２に取り込まれる。またこのようにして登録したクリップのイン点及びアウト点のタイムコードや素材長等の関連データが図５のようにメイン画面３０のクリップ情報表示部３２内に表示される。
【００６７】
さらにこのとき（図示せず）しない設定画面上で予め取込みモードを選択している場合には、このクリップの映像音声が上述のようにしてハードディスク装置３に取り込まれ、かつそのクリップの保存位置がハードディスク装置３内であることを表すデータ（例えばフラグ）がデータベース内の対応する位置に格納される。
【００６８】
因にこのときこの編集装置２では、このクリップの映像信号及び音声信号を指定された範囲（すなわち指定されたイン点からアウト点まで）よりも前後所定時間分（例えば２秒分）だけ余分にハードディスク装置３に取り込まれる。またこのとき例えば上述の設定画面上で予めリンクモードを選択している場合には映像及び音声がデータとしてリンクしてハードディスク装置３に取り込まれる一方、ノンリンクモードを選択している場合には映像及び音声がデータとしてリンクされないでハードディスク装置３に取り込まれる。
【００６９】
そしてビデオクリップエディットダイアログ４０では、ニューエディットボタン６４をクリックすることによって初期状態に戻すことができ、これによりオペレータがこの後上述と同様の手順により他のクリップを順次登録することができる。
【００７０】
またビデオクリップエディットダイアログ４０では、リプレイスボタン６５をクリックした後、所望するクリップを選択することによって、当該クリップのイン点及びアウト点等の設定を更新することができ、さらに右上に表示されたクローズドボタン６５をクリックすることによって、このビデオクリップエディットダイアログ４０をクローズさせることができる。
【００７１】
一方オペレータは、上述のようにしてメイン画面３０のクリップ情報表示部３２に登録されたクリップのリスト（以下、このリストの範囲内の一連の映像音声素材群をプロジェクトと呼ぶ）が表示された状態（図５）において、このメイン画面の編集リスト作成部３５を利用して以下の方法により編集リストを作成することができる。
【００７２】
図５に示すメイン画面３０のクリップ情報表示部３２には、登録されたクリップのリストがテキスト方式で表示されているが、オペレータの選択に応じて当該クリップ情報表示部３２を図６に示すようなピクチャ方式に変換することにより、登録されたクリップをそれぞれサムネイルピクチャＴＮ１〜ＴＮ６として表示することができる。
【００７３】
この場合まずマウス操作によりクリップ情報表示部３２内の所望のクリップの段にカーソルを合わせた後、マウス１４（図１）のボタンを押下するようにして１つのクリップを指定し、その状態のままカーソルを、編集リスト作成部３５のタイムスケール３５Ａを指標として、第１又は第２のビデオトラック３５Ｃ、３５Ｅ内の所望位置に移動させた後、マウス１４のボタンを放すようにする。
【００７４】
この結果図７に示すように、この第１又は第２のビデオトラック３５Ｃ、３５Ｅ内にそのときのカーソルの位置を先頭として、上述のようにして指定されたクリップの素材長に応じた長さの枠７０Ａ〜７０Ｄが表示される。またこのときそのクリップの映像と音声がリンクされて登録されている場合には、その枠７０Ａが表示された第１又は第２のビデオトラック３５Ｃ、３５Ｅと対応する第１又は第２のオーデイオトラック３５Ｇ、３５Ｈ上に第１又は第２のビデオトラック３５Ｃ、３５Ｅ内に表示された枠とタイムスケール３５Ａ上で同じ位置に同じ長さの枠７１Ａ〜７１Ｄが表示される。
【００７５】
そしてオペレータは、上述のような操作を繰り返し行い、タイムスケール３５Ａの始めのタイムコード（「00:00.00:00 」）から所望するタイムコードまで（すなわち所望する時間分だけ）タイムスケール上において連続するように、第１又は第２のビデオトラック３５Ｃ、３５Ｅと、第１又は第２のオーデイオトラック３５Ｇ、３５Ｈとに順次枠７０Ａ〜７０Ｄ、７１Ａ〜７１Ｄを表示させるようにする。
【００７６】
ここでこのように編集リスト表示部３５の第１又は第２のビデオトラック３５Ｃ、３５Ｅや、第１又は第２のオーデイオトラック３５Ｇ、３５Ｈに枠７０Ａ〜７０Ｄ、７１Ａ〜７１Ｄが表示されることは、編集映像音声の出力時にタイムスケール３５Ａで表された時間にその枠７０Ａ〜７０Ｄ、７１Ａ〜７１Ｄに対応するクリップの映像が表示され又は音声が出力されることを意味する。従つてこのような操作により編集映像として表示され、又は編集音声として出力されるクリップ映像又は音声を順次規定してなる編集リストを作成することができる。
【００７７】
なおこのようにして編集リストを作成する際、例えば第１のクリップの映像から第２のクリップの映像への切り換わり時に映像特殊効果処理を施したいときには、先行する第１のクリップに対応する第１の枠７０Ａを一方の第１又は第２のビデオトラック３５Ｃ、３５Ｅに表示させると共に、当該第１の枠７０Ａの後側の一部とその前側の一部がタイムスケール３５Ａでのタイムコードが重なるように、後行する第２のクリップに対応する第２の枠７０Ｂを他方の第２又は第１のビデオトラック３５Ｅ、３５Ｃ上に表示させる。
【００７８】
続いて画面中段部のセレクトエフェクトボタン３３Ｒをクリックする。この結果メイン画面３０上に、例えば図８のような実行できる各種映像特殊効果処理の内容を表すアイコン（以下、これらをエフェクトアイコンと呼ぶ）７３Ａ〜７３Ｙが複数表示された所定のダイアログ（以下、これをセレクトエフェクトダイアログと呼ぶ）７２を表示させることができる。
【００７９】
次いで所望する映像特殊効果処理のエフェクトアイコン７３Ａ〜７３Ｙ上にカーソルを移動させ、この後マウス１４（図１）のボタンを押下し、その状態でカーソルを上述の編集リスト作成部３５のエフェクトトラック３５Ｄにおける第１及び第２の枠７０Ａ、７０Ｂがタイムスケール３５Ａ上でタイムコードが重なり合う部分に移動させてマウス１４のボタンを放す（ドラッグアンドドロップ）するようにする。
【００８０】
この結果セレクトエフェクトダイアログ７２内のドラッグされたエフェクトアイコン７３Ａ〜７３Ｙが画面上をカーソルと一体に移動してドロップされた位置に貼り付けられた状態に表示される。
【００８１】
これにより一方の第１又は第２のビデオトラック３５Ｃ、３５Ｅに表示された第１の枠７０Ａに対応するクリップの映像と、他方の第２又は第１のビデオトラック３５Ｅ、３５Ｃに表示された第２の枠７０Ｂに対応するクリップの映像との繋ぎ部分において上述のようにして貼り付けられたエフェクトアイコン７３Ａ〜７３Ｙに応じた映像特殊効果処理を実行すべき旨の指示を入力することができる。
【００８２】
またこのようにして編集リストを作成した後又は編集リストの作成時に、メイン画面３０の画面中段に表示されたプレビューボタン３３Ｄをクリックしてプレビューモードを選択することによって、上述のようにこの編集リストに基づく編集映像をモニタ１７（図１）に表示させ、また当該編集リストに基づく編集音声をスピーカから出力させることができる。
【００８３】
上述のようにして編集リストを作成した後、メイン画面３０の画面中段に表示された記録ボタン３３Ｇをクリックしてダウンロードモードを選択することによって、上述のように当該編集リストに基づく編集処理を実行させ、かくして得られた編集映像及び編集音声を予め指定したビデオテープレコーダ１５Ａ〜１５Ｄを介してビデオテープに記録させることができる。
【００８４】
（４）ダウンロードダイアログ
ここでオペレータは、メイン画面３０の上段に設けられたメニュー欄の「Execute 」を選択して図示しないエクサキュートダイアログを表示させた後、さらにその中の「Download to VTR 」（すなわち上述したダウンロードモード）を選択することよって、図９に示すようなダウンロードダイアログ８０を表示させることができる。
【００８５】
この前段階において、オペレータは、メイン画面３０の画面上段に設けられたメニュー欄の「Tool」を選択して図示しないツールダイアログを表示させた後、さらにその中の「Device」を選択して図示しないデバイス設定ダイアログを表示させ、当該デバイス設定ダイアログに用いて、編集装置２から記録用のビデオテープレコーダ１５Ａ〜１５Ｄに出力する映像音声信号の信号フォーマットとして所望する信号フォーマットを選択することができる。この場合、ハイスピード（すなわち実時間の４倍のデータ転送速度）でダウンロードするため、ＳＤＴＩフォーマットを予め選択しておく。
【００８６】
続いてこのダウンロードダイアログ８０には、転送速度設定部８１が設けられ、その右横に表示されたプルダウンボタン８１Ａをクリックすることによって、選択されたＳＤＴＩフォーマットに応じたデータ転送速度（リアルタイム又はハイスピード）が「SDTI Direct[High×4]」として転送速度設定部８１内に表示される。
【００８７】
続いてオペレータは、転送速度設定部８１の右側に設けられたＯＫボタン８２をクリックすることにより、当該選択されたデータ転送速度がコンピュータ４内部において設定（すなわちＲＡＭ２２に取り込まれて記憶）される。この結果、ダウンロードダイアログ８０はクローズすると共に、メイン画面３０上に図１０に示すようなハイスピードダウンロードダイアログ８４が重畳表示される。
【００８８】
なおオペレータは、上述のようにしてデータ転送速度を選択した後、転送速度選択部８１の右上に表示されたクローズボタン８３をクリックするようにしても、ダウンロードダイアログ８０をクローズすることができる。
【００８９】
オペレータは、ハイスピードダウンロードダイアログ８４を用いて、タイムスケール３５Ａ上の各クリップをハイスピード（実時間の４倍のデータ転送速度）でダウンロードする際に当該ハイスピードでダウンロードできない素材部分を検出した後、当該素材部分を実時間で処理して仮想のタイムスケール（以下、これをヒドンタイムスケールと呼ぶ）（図示せず）上にカット繋ぎで貼り付けることによって１つのクリップにまとめるようになされている（以下、これをリクリップと呼ぶ）。
【００９０】
具体的にリクリップ対象となるハイスピードでダウンロードできない素材部分（以下、これをリクリップ部分と呼ぶ）としては、エフェクト部分（第１又は第２のビデオトラック３５Ｃ、３５Ｅのいずれか一方のみの場合も含む）、ミキシング部分（例えばチャンネルの切換え、左右の音声レベルの調整、音声レベルに応じたフィルタ機能等）、オーディオラバーバンドが設定されているクリップのある部分（以下、これをラバーバンド部分と呼ぶ）、タイトルクリップ部分（専用のトラック３５Ｆ以外の第１及び第２のビデオトラック３５Ｃ、３５Ｅも該当する）、カラークリップ部分（例えばスイッチャから得られた画面）、オーディオクロスフェード部分、第１及び第２のビデオトラック３５Ｃ、３５Ｅにおいて枠が重複する部分（以下、これをディゾルブ部分と呼ぶ）、第１及びで第２のオーディオトラック３５Ｇ、３５Ｈにおいて枠同士が重複する部分（以下、これを音声枠重複部分と呼ぶ）が挙げられる。
【００９１】
このようなリクリップ部分であるエフェクト部分、ミキシング部分、ラバーバンド部分、タイトルクリップ部分、カラークリップ部分、オーディオクロスフェード部分、ディゾルブ部分及び音声枠重複部分は、いずれもスイッチャやミキサがそのハードウェア構成が実時間に対応して設定され、実時間よりも速いハイスピードで処理を行うことができないものである。
【００９２】
なお実際のリクリップ部分は、ハイスピードで処理できない素材部分（例えばエフェクト部分等）と、当該素材部分の処理時間（例えばスイッチャによる切換時間）を考慮した前５フレーム分とを加算したものである。
【００９３】
この図１０に示すハイスピードダウンロードダイアログ８４では、画面上段にプロジェクトについて全てのリクリップ部分を実時間で処理するのに要する時間（すなわち合計時間）が表示され、画面下段にハイスピードダウンロードを実行するための実行表示部（「×4 download」）８５、全リクリップ後にハイスピードダンウロードを実行するための処理後実行表示部（「Full reclip & ×4 download」）８６、全て作業を中止させるための全中止表示部（「ALL STOP」）８７、ハイスピードダウンロードの内容を保存するための保存表示部（「Save  ×4 download data 」）８８、データを破棄して閉じるための消去表示部（「Delete data & Close 」）８９、キャンセル表示部（「Cancel」）９０、ヘルプ表示部（「Help」）９１がそれぞれ表示されている。
【００９４】
このハイスピードダウンロードダイアログ８４は、メイン画面３０上に重畳して表示されると、まず全てのリクリップ部分の合計時間を表示すると共に、画面中段に表示されたプログレスバー９２の左上に「Clearing Reclip data」と表示して、ハードディスク装置３（図１）内のハードディスクに割り当てられたＩＤ（Identification）のうち前回のリクリップ部分で使用したＩＤを消去する。このとき画面中段に設けられたプログレスバー９２には、前回のリクリップ部分で使用したＩＤを消去している状態がデータ量の変化として表示されると共に、画面下段の各表示部８５〜９１のうち全停止表示部８７以外は操作無効状態となる。なおハイスピードダウンロードダイアログ８４をクローズさせるときには、右上に表示されたクローズドボタン９３をクリックすれば良い。
【００９５】
続いてハイスピードダウンロードダイアログ８４は、所定時間の間ダウンロードの待機状態となり、このときプログレスバー９２には無表示状態となると共に、実行表示部８５、処理後実行表示部８６、キャンセル表示部９０及びヘルプ表示部９１のみが操作有効状態となる。
【００９６】
このダウンロードの待機状態の間、ハイスピードダウンロードダイアログ８４では、全てのリクリップ部分の合計時間が、実時間でのタイムスケール３５Ａ上の合計時間の４分の３以上の時間長であるか否かを検出し、当該４分の３以上の時間長であった場合には、実時間でダウンロードするよりもハイスピードでダウンロードする方がダウンロードに要する時間が長くなる旨を、図１１に示すような時間通知ダイアログ９５に表示する。この時間通知ダイアログ９５の画面中央に設けられたＯＫボタン９６又は右上に設けられたクローズボタン９７をクリックすることにより、この時間通知ダイアログ９５をクローズさせることができる。
【００９７】
この後オペレータは、ハイスピードダウンロードダイアログ８４に表示された実行表示部８５をマウス操作によりクリックすると、上述したリクリップを実行する。このときメイン画面３０に表示されているタイムスケール３５Ａ上では、タイムラインカーソル（図示せず）が現在リクリップ中である素材部分をトレースするようにリクリップの動作に同期して右方向に移動する。
【００９８】
またハイスピードダウンロードダイアログ８４の画面中段に表示されたプログレスバー９２にはリクリップの動作の変位が表示されると共に、当該プログレスバー９２の左上には「Reclip」と表示される。また画面下段に設けられた各表示部８５〜９１のうち全停止表示部８７以外は全て操作無効状態となる。
【００９９】
実際上、このとき編集装置２では、コンピュータ４（図２）内のＣＰＵ２０は、メイン画面３０に表示されたプロジェクトについて、ハイスピードでダウンロードできない素材部分をタイムスケール３５Ａ上で順次検出し、当該各素材部分を実時間で処理した後、仮想のヒドンタイムスケール（図示せず）上に他のクリップと共にカット繋ぎで時系列的に並べるようにして貼り付ける。かくして得られたリクリップ部分は、新たなＩＤが割り当てられ、ハードディスク装置３内のハードディスクに記録される。
【０１００】
このようにＣＰＵ２０がメイン画面３０に表示された１つのプロジェクト内の全てのリクリップ部分をハードディスク装置３内のハードディスク記録したとき、ハイスピードダウンロードダイアログ８４の画面中段に設けられたプログレスバー９２の左上に「×4 Download」を表示させてハイスピードダウンロードを実行させる。
【０１０１】
このときメイン画面３０に表示されているタイムスケール３５Ａ上では、タイムラインカーソルが現在ハイスピードダウンロード中であるクリップをトレースするようにダウンロードの処理に同期して右方向に移動する。またハイスピードダウンロードダイアログ８４の画面中段に表示されたプログレスバー９２にはダウンロードの処理の変位が表示される。また画面下段に設けられた各表示部８５〜９１のうち全停止表示部８７以外は全て操作無効状態となる。
【０１０２】
なおこのとき編集装置２では、コンピュータ４内のＣＰＵ２０は、ハードディスク装置３内のハードディスクに割り当てられたＩＤのうち、前回のハイスピードダウンロード時に使用したＩＤと一致するＩＤが存在するか否かを検出し、該当するＩＤが存在した場合には、前回のハイスピードダウンロードしたファイルが存在する旨を図１２に示すようなイグジストダイアログ９８として表示するようになされている。このイグジストダイアログ９８の画面中央に設けられたＯＫボタン９９又は右上に設けられたクローズボタン１００をクリックすることにより、このイグジストダイアログ９８をクローズさせることができる。
【０１０３】
（５）ハイスピードダウンロード処理手順
ここで実際上ＣＰＵ２０は、図１３に示すハイスピードダウンロード処理手順ＲＴ１に従って、プロジェクト単位で上述のようなリクリップ部分を構築しながらハイスピードでのダウンロードを実行する。
【０１０４】
すなわちＣＰＵ２０は、メイン画面３０上に表示されたメニュー欄のうちアイコンを経由してハイスピードダウンロードダイアログ８４がクリックされると、図１３のようなハイスピードダウンロード処理手順ＲＴ１をステップＳＰ０から入り、続くステップＳＰ１において、タイムラインカーソルがタイムスケール３５Ａの終端位置（すなわち後方に全くクリップが存在しない位置）であるか否かを判断する。
【０１０５】
このステップＳＰ１において否定結果を得ると、このことはメイン画面３０に表示されたプロジェクトのうちハイスピードでダウンロードできない素材部分を未だ検出していないことを表しており、このときＣＰＵ２０は、ステップＳＰ２に進んでタイムラインカーソルをタイムスケール３５Ａ上の右方向へ移動させる。
【０１０６】
続いてステップＳＰ２において、ＣＰＵ２０は、タイムスケール３５Ａ上を移動するタイムラインカーソルが順次クリップを通過しながら、このうち上述したハイスピードでのダウンロードを実行できない素材部分（すなわちリクリップ部分）であるか否かを判断する。このステップＳＰ２において肯定結果を得ると、ＣＰＵ２０は当該素材部分をリクリップ部分として登録した後、再度ステップＳＰ１に戻る。一方ステップＳＰ２において否定結果を得た場合も同様に再度ステップＳＰ１に戻る。
【０１０７】
これに対してステップＳＰ１において肯定結果を得ると、このことはメイン画面３０に表示されたプロジェクトについて全てのリクリップ部分を検出したことを表しており、このときＣＰＵ２０は、ステップＳＰ３に進んで当該プロジェクトについてハイスピードでのダウンロードの方が実時間でのダウンロードよりも転送速度が速いか否かを判断する。
【０１０８】
このステップＳＰ４において否定結果を得ると、ＣＰＵ２０は、ステップＳＰ５に進んで、メイン画面３０上に時間通知ダイアログ９５（図１１）を重畳して表示するようにして、その旨をオペレータに通知した後、ステップＳＰ６に進む。
【０１０９】
このステップＳＰ６において、ＣＰＵ２０は、オペレータの指示に従って実時間でダウンロードするか否かを判断した後、肯定結果が得られたときステップＳＰ７に進んで実時間でのダウンロードを実行する。この後ＣＰＵ２０はそのままステップＳＰ１２に進んで当該ハイスピードダウンロード処理手順ＲＴ１を終了する。一方ステップＳＰ６において否定結果を得ると、ＣＰＵ２０は、そのままステップＳＰ８に進む。
【０１１０】
★これに対してステップＳＰ４において肯定結果を得ると、このことはハイスピードでのダウンロードの方が実時間でのダウンロードよりも転送速度が速く短時間でダウンロードを行い得ることを表しており、このときＣＰＵ２０は、ステップＳＰ８に進んで、上述のような仮想のヒドンタイムスケールを作成した後、ステップＳＰ９においてメイン画面３０に表示されたプロジェクト内の全てのリクリップ部分を当該ヒドンタイムスケール上にカット繋ぎで貼り付ける。
【０１１１】
この後ＣＰＵ２０は、ステップＳＰ１０に進んで、メイン画面３０に表示されたプロジェクトについて上述したハイスピードでのダウンロードを実行した後、ステップＳＰ１１に進む。
【０１１２】
このステップＳＰ１１において、ＣＰＵ２０は、オペレータの指示に従って２回目のハイスピードダウンロードを実行するか否かを判断した後、肯定結果を得たときのみ再度ステップＳＰ１０に戻って上述と同様の処理を繰り返す。
【０１１３】
これに対してステップＳＰ１１において否定結果を得ると、ＣＰＵ２０はそのままステップＳＰ１２に進んで当該ハイスピードダウンロード処理手順ＲＴ１を終了する。
【０１１４】
（６）本実施の形態の動作及び効果
以上の構成において、この編集システム１では、メイン画面３０に表示されたプロジェクトについて上述したハイスピードでのダウンロードを実行する際、予めハイスピードでのダウンロードができない素材部分を全て検出した後、当該素材部分をリクリップ部分として他のクリップと共に仮想のヒドンタイムスケール上にカット繋ぎで時系列的に並べ、その結果得られたリクリップ部分を含むデータをハードディスク装置３内のハードディスクに記録しておく。
【０１１５】
従ってハードディスク装置３内のハードディスクから読み出したリクリップ部分を含むデータは１本のタイムスケール上で時系列的に並んだ状態にあるため、メイン画面３０上のプロジェクトの中にハイスピードでのダウンロードができない素材部分を有する場合であっても、上述のようなハイスピードでのダウンロードをプロジェクトごとに実行することができる。
【０１１６】
なおハイスピードでのダウンロードを実行する前段階において、実時間でのダウンロードよりもハイスピードダウンロードの方が処理時間が長くなる場合には、その旨をメイン画面３０上に表示してオペレータに通知するようにしたことにより、オペレータは短時間でダウンロードできる方を任意に選択することができ、選択ミスによって無駄な時間を消費するのを未然に回避することができる。
【０１１７】
さらに上述のようなハイスピードでのダウンロードを実行して所定のプロジェクトの映像音声内容がダウンロードされたビデオテープを複製する場合、同一内容のデータをハイスピードでダウンロードすることによって、既にダウンロードされたヒデオテープをマスタテープとしてダビングする場合よりも格段と短時間でビデオテープを複製することができる。このような複製時間の短縮化は、複製するビデオテープの本数が増加するに従って顕著に表われる。
【０１１８】
以上の構成によれば、この編集システム１において、メイン画面３０に表示されたプロジェクトについて、ハイスピードでのダウンロードができない素材部分をリクリップ部分として他のクリップと共に１本のヒドンタイムスケール上で時系列的に並べてその結果をハードディスク装置３内のハードディスクに記録しておき、上述したハイスピードでのダウンロードを実行して当該リクリップ部分を他のクリップと共にビデオテープレコーダ１５Ａ〜１５Ｄ内のビデオテープにダウンロードするようにしたことにより、メイン画面３０上のプロジェクトの中にハイスピードでのダウンロードができない素材部分を有する場合でも、上述のようなハイスピードでのダウンロードを実行することができ、かくして編集時間を格段と短縮し得る編集システム１を実現することができる。
【０１１９】
（７）他の実施の形態
なお上述の実施の形態においては、本発明を図１のように構成された編集システム１に適用した場合について述べたが、本発明はこれに限らず、要は編集結果としての編集映像音声を予め指定された出力レートで転送することができるこの他種々の編集装置に広く適用することができる。
【０１２０】
また上述の実施の形態においては、編集結果としての編集映像音声のうち予め指定された実時間の４倍のデータ転送速度でのハイスピードで処理できない素材部分をリクリップ部分として抽出する抽出手段として、コンピュータ４内のＣＰＵ２０を適用した場合について述べたが、本発明はこれに限らす、出力レートは実時間よりも高速であれば４倍でなくても良く、またハイスピードで処理できない素材部分でなる転送不可部分（すなわちリクリップ部分）としては、エフェクト部分、ミキシング部分、ラバーバンド部分、タイトルクリップ部分、カラークリップ部分、オーディオクロスフェード部分、ディゾルブ部分及び音声枠重複部分があるが、要はＣＰＵ２０、映像特殊効果処理部９及び音声入出力／ミキサ部にハードウェア構成に基づく処理時間がかかる部分が転送不可部分の対象となる。
【０１２１】
なおかかるリクリップ部分として、この他にも、第１又は第２のオーディオトラック３５Ｇ、３５Ｈにおける枠と重複する第３のオーディオトラック（図示せず）の枠にクリップがある部分（以下、これを第２の音声重複部分と呼ぶ）、第１、第２又は第３のオーディオトラックにおける枠と重複する第４のオーディオトラックの枠にクリップがある部分（以下、これを第３の音声重複部分と呼ぶ）が挙げられる。
【０１２２】
さらに上述の実施の形態においては、編集映像音声から抽出された転送不可部分を記憶する記憶手段として、ハードディスク装置３内のハードディスクをＣＰＵ２０の制御下で適用した場合について述べたが、本発明はこれに限らず、コンピュータ４内のＲＡＭ２２等の種々の記憶手段を広く適用しても良い。
【０１２３】
さらに上述の実施の形態においては、ハードディスク装置３から読み出した転送不可不分（リクリップ部分）に対して映像特殊効果処理部９や音声入出力／ミキサ部１０を編集加工手段として適用した場合について述べたが、要は上述したリクリップ部分を生成する回路であれば、ＣＰＵ２０を含めてこの他種々の編集加工手段を広く適用することができる。
【０１２４】
さらに上述の実施の形態においては、転送不可部分を予め指定された出力レートで転送させる高速転送手段として、コンピュータ４内のＣＰＵ２０を用いて、転送不可部分を他のクリップと共に仮想のヒドンタイムスケール上にカット繋ぎで時系列的に並べておき、この後ハイスピードでのダウンロードを行うようにした場合について述べたが、本発明はこれに限らず、編集加工された転送不可部分を所定の時間軸上に時系列的に並べることができれば、その他種々の構成からなる高速転送手段を適用しても良い。
【０１２５】
さらに上述の実施の形態においては、リクリップ部分を編集結果としての編集映像音声の一部分とした場合について述べたが、本発明はこれに限らず、１つのプロジェクトを全てリクリップするようにしても良い。この場合、ハードディスク装置３内のハードディスクに割り当てられたＩＤが不足しているときに行えば良い。
【０１２６】
【発明の効果】
上述のように本発明によれば、この編集装置において、編集結果として得られた編集映像音声のうち予め指定された出力レートでの転送不可部分を有する場合、当該転送不可部分のみ抽出手段を用いて抽出した後に記憶手段に記憶しておき、実際の転送前に出力レートに対応し得るように編集加工手段を用いて編集加工した後に高速転送手段を用いて当該出力レートで転送するようにしたことにより、その分だけ編集時間を格段と短縮し得る編集装置を実現することができる。
【０１２７】
また本発明によれば、この編集方法において、編集結果として得られた編集映像音声のうち予め指定された出力レートでの転送不可部分を有する場合、当該転送不可部分のみ抽出しておき、実際の転送前に出力レートに対応し得るように編集加工した後に当該出力レートで転送するようにしたことにより、その分だけ編集時間を格段と短縮し得る編集方法を実現することができる。
【図面の簡単な説明】
【図１】本実施の形態による編集システムの全体構成を示すブロック図である。
【図２】コンピュータの構成を示すブロック図である。
【図３】メイン画面を示す略線図である。
【図４】ビデオクリップエディットダイアログを示す略線図である。
【図５】メイン画面を示す略線図である。
【図６】メイン画面を示す略線図である。
【図７】メイン画面を示す略線図である。
【図８】セレクトエフェクトダイアログを示す略線図である。
【図９】ダウンロードダイアログを示す略線図である。
【図１０】ハイスピードダウンロードダイアログを示す略線図である。
【図１１】時間通知ダイアログを示す略線図である。
【図１２】イグジストダイアログを示す略線図である。
【図１３】ハイスピードダウンロード処理手順の説明に供するフローチャートである。
【符号の説明】
１……編集システム、２……編集装置、３……ハードディスク装置、４……コンピュータ、５……システム制御部、９……映像特殊効果処理部、１０……音声入出力／ミキサ部、１３……ディスプレイ、１４……マウス、１６……キーボード、１５Ａ〜１５Ｄ……ビデオテープレコーダ、２０……ＣＰＵ、３０……メイン画面、８０……ダウンロードダイアログ、８４……ハイスピードダウンロードダイアログ、９５……時間通知ダイアログ、９８……イグジストダイアログ、ＲＴ１……ハイスピードダウンロード処理手順。
【図１】
0004129657.tif 000002
【図２】
0004129657.tif 000003
【図３】
0004129657.tif 000004
【図４】
0004129657.tif 000005
【図５】
0004129657.tif 000006
【図６】
0004129657.tif 000007
【図７】
0004129657.tif 000008
【図８】
0004129657.tif 000009
【図９】
0004129657.tif 000010
【図１０】
0004129657.tif 000011
【図１１】
0004129657.tif 000012
【図１２】
0004129657.tif 000013
【図１３】
0004129657.tif 000014